(57)【特許請求の範囲】
【請求項１】
記録されたデータを再生するデータ再生装置において、
第１の拘束長のパーシャルレスポンスに対応する２系統のビタビ復号を並列に行う２系統のビタビ検出手段と、
前記第１の拘束長のパーシャルレスポンスに対応する２系統のビタビ復号を並列に動作する２系統のビタビ検出手段として利用するとき前記２系統のビタビ検出手段の間を切断し、前記第１の拘束長より長い第２の拘束長のパーシャルレスポンスに対応する１系統のビタビ復号を行うビタビ検出手段として利用するとき前記２系統のビタビ検出手段の間を接続し、前記第２の拘束長のパーシャルレスポンスに対応する１系統のビタビ復号を行う１系統のビタビ検出手段を構成する接続手段と
を有するデータ再生装置。
【請求項２】
請求項１記載のデータ再生装置において、
前記第１の拘束長のパーシャルレスポンスに対する第１期待値を格納する第１レジスタと、
前記第２の拘束長のパーシャルレスポンスに対する第２期待値と格納する第２レジスタと
を有するデータ再生装置。
【請求項３】
請求項２記載のデータ再生装置において、
前記接続手段を切り替えるタイミングで前記第１期待値及び第２期待値を切り替えて利用することを特徴とするデータ再生装置。
【請求項４】
請求項１記載のデータ再生装置において、
前記接続手段は、前記２系統のビタビ検出手段を構成する複数のブランチメトリック計算ユニットと、複数のＡＣＳユニットと、複数のパスメトリックメモリと、複数のパスメモリとを接続することにより前記１系統のビタビ検出手段を構成することを特徴とするデータ再生装置。
【請求項５】
請求項４記載のデータ再生装置において、
前記接続手段は、前記複数のパスメモリ内部の接続を変更することを特徴とするデータ再生装置。
【請求項６】
請求項４記載のデータ再生装置において、
前記接続手段は、前記２系統のビタビ検出手段に供給されるサンプリング値を変更することを特徴とするデータ再生装置。
【請求項７】
請求項１記載のデータ再生装置において、
前記接続手段は、マイクロプロセッサユニットに従って制御されることを特徴とするデータ再生装置。
【請求項８】
記録されたデータを再生するデータ再生方法において、
前記記録されたデータに従って変化する信号を再生し、
その再生した信号の拘束長に従った期待値を選択して第１の拘束長のパーシャルレスポンスに対応する２系列のビタビ復号を並列に行う２系統のビタビ検出手段に供給し、
前記第１の拘束長のパーシャルレスポンスに対応する２系統のビタビ復号を並列に動作する２系統のビタビ検出手段として利用するとき前記２系統のビタビ検出手段の間を切断し、前記第１の拘束長より長い第２の拘束長のパーシャルレスポンスに対応する１系統のビタビ復号を行うビタビ検出手段として利用するとき前記２系統のビタビ検出手段の間を接続し、前記第２の拘束長のパーシャルレスポンスに対応する１系統のビタビ復号を行う１系統のビタビ検出手段を構成して、前記再生した信号の拘束長に対応させることを特徴とするデータ再生方法。
【請求項９】
請求項８記載のデータ再生方法において、
前記２系統のビタビ検出手段を構成する複数のブランチメトリック計算ユニットと、複数のＡＣＳユニットと、複数のパスメトリックメモリと、複数のパスメモリとを接続し、前記１系統のビタビ検出手段を構成することを特徴とするデータ再生方法。
【発明の詳細な説明】
【０００１】
【発明の属する技術分野】
本発明は、データ再生方法及び装置に係り、特に、高密度に記録されたデータを再生するデータ再生方法及び装置に関する。
【０００２】
【従来の技術】
近年、光磁気ディスク装置に用いられる光磁気ディスクは、大容量，低価格，高信頼性等により、画像・イメージ情報の記録再生やコンピュータ用の各種コードデータの記録再生等、様々な分野での利用が図られている。
【０００３】
特に光磁気ディスク装置は更なる大容量化が望まれており、データを高密度に記録し、その高密度に記録されたデータを高精度に再生するデータの記録・再生方法が必要となる。光磁気ディスク上にデータを高密度に記録する方法としては、磁界変調記録法等が知られている。一方、光磁気ディスク上に記録されたデータを高密度に再生する方法としては、ＭＳＲ（Ｍａｇｎｅｔｉｃａｌｌ−Ｉｎｄｕｃｅｄ  Ｓｕｐｅｒ  Ｒｅｓｏｌｕｔｉｏｎ）媒体を利用する磁気的超解像法等が知られている。
【０００４】
図１は、光磁気ディスクの一例のフォーマット図を示す。図１の光磁気ディスクのフォーマットは、図１（ａ）に示すように、ＩＤ部及びＭＯ（Ｍａｇｎｅｔｉｃ  Ｏｐｔｉｃａｌ  Ｄｉｓｋ）部を含むように構成される。ＩＤ部は図１（ｂ）に示すように、データがプリピットで記録されている。記録されたデータの再生は、そのプリピットにビームスポットを照射し、そのプリピットからの反射光量を検出することにより行われる。
【０００５】
また、ＭＯ部は図１（ｃ）に示すように、データがＭＯ記録ピットで記録されている。記録されたデータの再生は、そのＭＯ記録ピットにビームスポットを照射し、そのＭＯ記録ピットからの反射光の偏光方向を検出することにより行われる。
【０００６】
ＩＤ部又はＭＯ部から得られた再生信号は、光スポットの大きさに従って複数のプリピット又はＭＯ記録ピットの再生信号を混合されたものとなる。このような再生信号は、いわゆるパーシャルレスポンス（ＰＲ）波形に変調して記録された光ディスクからの再生信号と同様に元のデータを復調される。ＰＲ波形に変調して記録された光磁気ディスクからの再生信号は、所定周期でサンプリングした後に、ビタビ検出器（最尤データ検出器）にて最も確からしいデータが検出されている。
【０００７】
図２は、データ再生システムの一例のブロック図を示す。図２において、アナログディジタル変換器１１０は、アンプ，ローパスフィルタ（図示せず）でアナログ処理が成された再生信号が供給され、その再生信号をアナログ信号からディジタル信号に変換する。アナログディジタル変換器１１０は、クロック生成回路１３０からのクロック信号に同期して動作する。
【０００８】
即ち、前記再生信号がアナログディジタル変換器１１０にてサンプリングされ、そのサンプリング値がクロック信号に同期してアナログディジタル変換器１１０から出力される。アナログディジタル変換器１１０からクロック信号に同期して順次出力される再生信号のサンプリング値は、ディジタルイコライザ（ＥＱ）１２０での波形等化処理を経た後にビタビ検出器１００に供給される。ビタビ検出器１００は、順次供給されるサンプリング値からビタビ復号アルゴリズムに従って記録データを検出して出力する。なお、図示していないが、前記ディジタルイコライザ１２０及びビタビ検出器１００もクロック生成回路１３０からのクロック信号に同期して動作している。
【０００９】
ビタビ検出器１００は、ブランチメトリック計算ユニット（ＢＭ）１０１，ＡＣＳユニット１０２，パスメトリックメモリ（ＰＭＭ）１０３，及びパスメモリ（ＰＭ）１０４を有している。このような構成のビタビ検出器１００を用いて最も確からしいデータを検出することにより、高密度に記録されたデータを再生していた。従来、ビタビ検出器１００を含むデータ再生システムは、１つの決まったＰＲに対して１つの系でデータ再生を行っていた。
【００１０】
【発明が解決しようとする課題】
図１（ｂ）に示すように、ＩＤ部に記録されたデータを再生する場合、プリピットの大きさが小さくなると再生信号は振幅が小さくなり、再生信号の分解能が劣化する。一方、図１（ｃ）に示すように、ＭＯ部に記録されたデータを再生する場合、ＭＯ記録ピットの大きさが小さくなったとしてもＭＳＲ効果によりＩＤピットほど再生信号の分解能が劣化しない。
【００１１】
その結果、ＩＤ部からのＰＲとＭＯ部からのＰＲとが異なることになる。例えばＩＤ部がＰＲ（１，３，３，１），ＭＯ部がＰＲ（１，１）である場合のＭＴＦ（Ｍｏｄｕｌａｔｉｏｎ  Ｔｒａｎｓｆｅｒ  Ｆｕｎｃｔｉｏｎ）の特性図を図３に示しておく。
【００１２】
従来のＰＲＭＬ（パーシャルレスポンス・最尤検出）では、ＩＤ部のＰＲ（１，３，３，１）とＭＯ部のＰＲ（１，１）とを１つのＰＲＭＬ系でデータ検出する為に、拘束長の長いＰＲ（１，３，３，１）に合わせて回路設計を行なう必要があった。このように拘束長が長いと、その拘束長の長さに応じて回路規模が大きくなるという問題があった。
【００１３】
また、ＭＯ部において光変調エッジ記録を用いていると、記録時の環境温度や熱蓄積の違い等によりＭＯ記録ピットのエッジが長く記録されたり短く記録されたりする、いわゆるエッジシフトが発生する。エッジシフトに対しては、前後のエッジを独立して検出する図４（ａ）に示すようなデュアルモードのＰＲＭＬが提案されている。図４（ａ）は、前後のエッジに対応して２つのＰＲＭＬ系でデータ再生を行っている。
【００１４】
しかし、ＩＤ部はプリピット製作時に正確に補正して作製される為、ＭＯ部のようにエッジシフトが発生することがない。従って、ＩＤ部は、図４（ｂ）に示すようなシングルモードのＰＲＭＬでデータ再生を行なうことができ、図４（ａ）に示すようなデュアルモードのＰＲＭＬでデータ再生を行なう必要はない。
【００１５】
つまり、図１に示すような光磁気ディスクを再生する為には、ＩＤ部からのＰＲの拘束長に応じた回路を、ＭＯ部からの２つのＰＲに応じて２系統用意しなければならない。従って、非常に回路規模が大きくなるという問題があった。
【００１６】
本発明は、上記の点に鑑みなされたもので、少ない回路規模で長い拘束長のパーシャルレスポンスと複数系統の短い拘束長のパーシャルレスポンスとに対応することが可能なデータ再生方法及び装置を提供することを目的とする。
【００１７】
【課題を解決するための手段】
そこで、上記課題を解決するため、本発明は、記録されたデータを再生するデータ再生装置において、第１の拘束長のパーシャルレスポンスに対応する２系統のビタビ復号を並列に行う２系統のビタビ検出手段と、前記第１の拘束長のパーシャルレスポンスに対応する２系統のビタビ復号を並列に動作する２系統のビタビ検出手段として利用するとき前記２系統のビタビ検出手段の間を切断し、前記第１の拘束長より長い第２の拘束長のパーシャルレスポンスに対応する１系統のビタビ復号を行うビタビ検出手段として利用するとき前記２系統のビタビ検出手段の間を接続し、前記第２の拘束長のパーシャルレスポンスに対応する１系統のビタビ復号を行う１系統のビタビ検出手段を構成する接続手段とを有することを特徴とする。
【００１８】
このようなデータ再生装置は、第１の拘束長のパーシャルレスポンスに対応する２系統のビタビ検出手段間の接続を制御することにより、第１の拘束長と異なる第２の拘束長のパーシャルレスポンスに対応するビタビ検出手段を構成することができる。
【００１９】
従って、第１の拘束長のパーシャルレスポンスに対応する２系統のビタビ検出手段を第１の拘束長と異なる拘束長のパーシャルレスポンスに対応させることが可能となり、回路規模を小さくできる。
【００２１】
このようなデータ再生装置では、長い拘束長のパーシャルレスポンスと２系統の短い拘束長のパーシャルレスポンスとに対応することが可能となる。従って、２系統のビタビ検出手段は短い拘束長のパーシャルレスポンスに対応させればよく、回路規模を小さくできる。
【００２２】
拘束長毎にパーシャルレスポンスに対する期待値を用意しておくという観点から、本発明は、前記データ再生装置において、前記第１の拘束長のパーシャルレスポンスに対する第１期待値を格納する第１レジスタと、前記第２の拘束長のパーシャルレスポンスに対する第２期待値と格納する第２レジスタとを有することを特徴とする。
【００２３】
このようなデータ再生装置では、拘束長に対応する期待値を第１又は第２レジスタから選択して読み出すことができる。
【００２４】
接続手段を切り替えることにより２系統のビタビ検出手段と１系統のビタビ検出手段とを切り替えるという観点から、本発明は、前記データ再生装置において、前記接続手段を切り替えるタイミングで前記第１期待値及び第２期待値を切り替えて利用することを特徴とする。
【００２５】
このようなデータ再生装置では、接続手段を切り替えるタイミング，言い換えれば２系統のビタビ検出手段と１系統のビタビ検出手段とを切り替えるタイミングで第１期待値及び第２期待値を切り替えて利用することが可能となる。
【００２６】
２系統のビタビ検出手段を構成するブロック同士の接続を制御するという観点から、本発明は、前記データ再生装置において、前記接続手段は、前記２系統のビタビ検出手段を構成する複数のブランチメトリック計算ユニットと、複数のＡＣＳユニットと、複数のパスメトリックメモリと、複数のパスメモリとを接続することにより前記１系統のビタビ検出手段を構成することを特徴とする。
【００２７】
このようなデータ再生装置では、２系統のビタビ検出手段を構成する複数のブランチメトリック計算ユニットと、複数のＡＣＳユニットと、複数のパスメトリックメモリと、複数のパスメモリとを接続することが可能となり、これら２系統のビタビ検出手段を利用してビタビ検出手段を構成することができる。
【００２８】
ビタビ検出手段を構成するブロック内も必要に応じて接続又は切断を行なうという観点から、本発明は、前記データ再生装置において、前記接続手段は、前記複数のパスメモリ内部の接続を変更することを特徴とする。
【００２９】
このようなデータ再生装置ではビタビ検出手段を構成するパスメモリ内部の接続を変更することが可能である。
【００３０】
２系統のビタビ検出手段と１系統のビタビ検出手段とでは必要なサンプリング値が異なるという観点から、本発明は、前記データ再生装置において、前記接続手段は、前記２系統のビタビ検出手段に供給されるサンプリング値を変更することを特徴とする。
【００３１】
このようなデータ再生装置では、２系統のビタビ検出手段と１系統のビタビ検出手段とで異なるサンプリング値を供給することが可能である。
【００３２】
接続手段を容易且つ高速に制御するという観点から、本発明は、前記データ再生装置において、前記接続手段は、マイクロプロセッサユニットに従って制御されることを特徴とする。
【００３３】
このようなデータ再生装置では、接続手段をマイクロプロセッサユニットにより制御できるので、容易且つ高速な制御が可能となる。また、外部から接続手段を制御することも可能となる。
【００３４】
また、本発明は、記録されたデータを再生するデータ再生方法において、前記記録されたデータに従って変化する信号を再生し、その再生した信号の拘束長に従った期待値を選択して第１の拘束長のパーシャルレスポンスに対応する２系列のビタビ復号を並列に行う２系統のビタビ検出手段に供給し、前記第１の拘束長のパーシャルレスポンスに対応する２系統のビタビ復号を並列に動作する２系統のビタビ検出手段として利用するとき前記２系統のビタビ検出手段の間を切断し、前記第１の拘束長より長い第２の拘束長のパーシャルレスポンスに対応する１系統のビタビ復号を行うビタビ検出手段として利用するとき前記２系統のビタビ検出手段の間を接続し、前記第２の拘束長のパーシャルレスポンスに対応する１系統のビタビ復号を行う１系統のビタビ検出手段を構成して、前記再生した信号の拘束長に対応させることを特徴とする。
【００３５】
このようなデータ再生方法は、所定の拘束長のパーシャルレスポンスに対応する２系統のビタビ検出器の間の接続を制御することにより、異なる拘束長のパーシャルレスポンスに対応するビタビ検出器を構成することができる。従って、所定の拘束長のパーシャルレスポンスに対応する２系統のビタビ検出器を、再生した信号の拘束長のパーシャルレスポンスに対応させることが可能となる。
【００３６】
２系統のビタビ検出器を構成するブロック同士の接続を制御するという観点から、本発明は、前記データ再生方法において、前記２系統のビタビ検出手段を構成する複数のブランチメトリック計算ユニットと、複数のＡＣＳユニットと、複数のパスメトリックメモリと、複数のパスメモリとを接続し、前記１系統のビタビ検出手段を構成することを特徴とする。
【００３７】
このようなデータ再生方法では、２系統のビタビ検出手段を構成する複数のブランチメトリック計算ユニットと、複数のＡＣＳユニットと、複数のパスメトリックメモリと、複数のパスメモリとを接続することが可能となり、これら２系統のビタビ検出器を利用してビタビ検出手段を構成することができる。
【００３８】
【発明の実施の形態】
次に、本発明の実施の形態について図面に基づいて説明する。なお、本実施例では光磁気ディスク装置について説明するがこれに限るものではない。図５は、本発明の実施の一形態に係る光磁気ディスク装置１の光学系の構成例を示す。図５において、ＬＤ（Ｌａｓｅｒ  Ｄｉｏｄｅ）駆動回路１２は、データ再生時にパルス状の駆動信号が供給される。
【００３９】
この駆動信号が供給されると、ＬＤ駆動回路１２は接続されているＬＤ１６を発光させる。ＬＤ１６が発光したレーザ光は、ビームスプリッタ（ＢＳ）２０を透過し、レンズ３０を介して光磁気ディスク３２に照射される。レンズ３０は、供給されるレーザ光を光磁気ディスク３２の面上で焦点を結ぶように集光し、光スポットを生成する。光ディスク装置１は、光磁気ディスク３２の面上に磁界を発生させる磁気ヘッドを含むように構成される。
【００４０】
光磁気ディスク３２に光スポットが照射されると、光磁気ディスク３２からの反射光はレンズ３０を介し、ビームスプリッタ２０に反射され、ビームスプリッタ２２に入射する。このビームスプリッタ２２に入射された反射光は、偏光成分に従って分離され、フォトダイオード（ＰＤ）２４，又は２６に供給される。フォトダイオード２４，２６は、供給された光信号を電気信号に変換し、その電気信号をアンプ２８に出力する。そして、アンプ２８はフォトダイオード２４，２６から供給された電気信号を増幅し、再生信号として出力する。
【００４１】
図６は、本発明の実施の一形態に係る光磁気ディスク装置１のデータ再生システムの構成例を示す。図６において、アナログディジタル変換器１１０は、図５のアンプ２８から供給される再生信号をアナログ信号からディジタル信号に変換する。なお、図５のアンプ２８とアナログディジタル変換器１１０との間には、必要に応じて波形成形の為のフィルタが設けられることがある。
【００４２】
アナログディジタル変換器１１０は、クロック生成回路１３０からのクロック信号に同期して動作する。即ち、前記再生信号がアナログディジタル変換器１１０にてサンプリングされ、そのサンプリング値がクロック信号に同期してアナログディジタル変換器１１０から出力される。
【００４３】
アナログディジタル変換器１１０からクロック信号に同期して順次出力される再生信号のサンプリング値は、ディジタルイコライザ（ＥＱ）１２０での波形等化処理を経た後にビタビ検出器１５０に供給される。ビタビ検出器１５０は、順次供給されるサンプリング値からビタビ復号アルゴリズムに従って記録データを検出して出力する。
【００４４】
図６のビタビ検出器１５０は、１系統の長い拘束長のパーシャルレスポンスと２系統の短い拘束長のパーシャルレスポンスとに対応するような構成となっている。そこで、本発明についての理解を助ける為に、図７を参照してビタビ検出器１５０の構成の概要について簡単に説明する。図７は、本発明の２つのモードについて説明する一例の構成図を示す。
【００４５】
図７（ａ）は、デュアルモードのＰＲＭＬの構成であり、ＭＯ部の拘束長に対応する２系統のビタビ検出器５０，５２で構成される。なお、図７中、ビタビ検出器（最尤データ検出器）は、ＭＬと表記されている。このように、２系統のビタビ検出器５０，５２で構成されることにより、エッジシフトに対応することができる。
【００４６】
一方、図７（ｂ）は、シングルモードのＰＲＭＬの構成である。ビタビ検出器５０，５２はＭＯ部の拘束長に対応している為、ビタビ検出器５０，５２の両方を用いてＭＯ部の拘束長より長いＩＤ部の拘束長に対応させている。具体的には、ビタビ検出器５０，５２を接続回路５４を用いて接続することにより、ＩＤ部の拘束長に対応させることが可能である。
【００４７】
図８は、本発明のビタビ検出器の一実施例の構成図を示す。図８のビタビ検出器は、２系統のビタビ検出器の各ブロックを接続回路５４を用いて接続又は切断することにより、ＭＯ部の拘束長に対応している２系統のビタビ検出器を用いてＩＤ部の拘束長に対応させることを可能としている。なお、接続回路５４の制御は、ＭＰＵ（Ｍｉｃｒｏｐｒｏｃｅｓｓｏｒ  Ｕｎｉｔ）６４により後述するように行われる。
【００４８】
接続回路５４は、２系統のビタビ検出器を構成するＢＭ５６，６０と、ＡＣＳユニット５７，６１と、ＰＭＭ５８，６２と、ＰＭ５９，６３との間に設けられており、信号の出力先を制御することが可能となっている。また、接続回路５４はＥＱ１２０から供給されるサンプリング値ＥＱＬｔ，ＥＱＴｔの出力先を制御することが可能である。例えば、本発明のビタビ検出器はＢＭ５６から出力するブランチメトリック値を接続回路５４を介してＡＣＳユニット６１に供給することも可能である。
【００４９】
以下、本発明の光磁気ディスク装置の構成及び処理について詳細に説明していく。なお、本実施例では（１，７）ＲＬＣＣの特徴であるＤ制約を考慮して、ＩＤ部がＰＲ（１，３，３，１），ＭＯ部がＰＲ（１，１，０）である場合のデータの組み合わせ及び状態遷移について説明する。
【００５０】
図９は、データの組み合わせ及び状態遷移を説明する一例の図を示す。図９中、左欄に記載されている図９（Ａ）がデュアルモードの場合であり、右欄に記載されている図９（Ｂ）がシングルモードの場合である。また、状態ＳL２から状態ＳL１の遷移等は（１，７）ＲＬＬＣのＤ制約により存在しないので二重線で消されている。ＰＬ０〜ＰＬ７，ＰＴ０〜ＰＴ７は、各データの組み合わせにおける期待値である。なお、デュアルモードの場合、状態及び期待値の添字「Ｌ」が前エッジ（Ｌｅａｄｉｎｇ  Ｅｄｇｅ）に相当することを表わし、添字「Ｔ」が後エッジ（Ｔｒａｉｌｉｎｇ  Ｅｄｇｅ）に相当することを表わしている。
【００５１】
例えば拘束長３のＰＲ（ｋ１，ｋ２，ｋ３）の場合、期待値Ｐｈは以下の式（１）により算出することができる。また、拘束長４のＰＲ（ｋ１，ｋ２，ｋ３，ｋ４）の場合、期待値は以下の式（２）により算出することができる。なお、時刻ｔのデータをＤｔと表わしている。
【００５２】
Ｐｈ＝ｋ１×Ｄｔ＋ｋ２×Ｄｔ−１＋ｋ３×Ｄｔ−２・・・・・（１）
Ｐｈ＝ｋ１×Ｄｔ＋ｋ２×Ｄｔ−１＋ｋ３×Ｄｔ−２＋ｋ４×Ｄｔ−３・・・・・（２）
従って、図９（Ａ）のデュアルモードにおいて状態ＳL３から状態ＳL１に遷移する場合、式（１）を利用することにより期待値ＰＬ３＝１を算出することができる。また、図９（Ｂ）のシングルモードにおいて状態ＳL３から状態ＳＴ１に遷移する場合、式（２）を利用することにより期待値ＰＬ３＝６を算出することができる。
【００５３】
図１０は、図９の関係を表わす一例の状態遷移図を示す。図１０（Ａ）はデュアルモードの場合の状態遷移図であり、前後のエッジの状態遷移が独立していることが分かる。一方、図１０（Ｂ）はシングルモードの場合の状態遷移図であり、１つの状態遷移となっていることが分かる。なお、図１０（Ａ）のａｔ／ｙｔは、Ｄｔ−２／Ｐｈを示している。また、図１０（Ｂ）のａｔ／ｙｔは、Ｄｔ−３／Ｐｈを示している。
【００５４】
従って、図８のビタビ検出器の接続回路５４を適宜切り替えることにより、図１０（Ａ）及び図１０（Ｂ）の状態遷移に対応することができれば、少ない回路規模で１系統の長い拘束長のＰＲと２系統の短い拘束長のＰＲとに対応することが可能なビタビ検出器が実現できる。
【００５５】
図１１は、ＢＭ５６，６０の一例の構成図を示す。図１１（Ａ）はデュアルモードの場合であり、２つのＡＤＣからＥＱを介してサンプリング値ＥＱＬｔ，ＥＱＴｔがＢＭ５６，６０に供給されている。また、ＢＭ５６，６０は図１０（Ａ）に示す状態遷移の期待値ＰＬｎ，ＰＴｎ（ｎ＝０，１，３，４，６，７）が夫々供給されている。ＢＭ５６は、供給されたサンプリング値ＥＱＬｔと期待値ＰＬｎとの差の絶対値をブランチメトリック値（以下、ＢＭ値という。）ＢＭＬｎとして算出する。また、ＢＭ６０は、供給されたサンプリング値ＥＱＴｔと期待値ＰＴｎとの差の絶対値をＢＭ値ＢＭＴｎとして算出する。なお、ＢＭ値はサンプリング値と各状態遷移の期待値である理想サンプル値との差を相対的に比較するものであり、差の二乗でも同様な結果となる。
【００５６】
一方、図１１（Ｂ）はシングルモードの場合であり、１つのＡＤＣからＥＱを介してサンプリング値ＥＱＬｔがＢＭ５６，６０に供給されている。また、ＢＭ５６，６０は図１０（Ｂ）に示す状態遷移の期待値ＰＬｎ，ＰＴｎが夫々供給されている。ＢＭ５６は、供給されたサンプリング値ＥＱＬｔと期待値ＰＬｎとの差の絶対値をＢＭ値ＢＭＬｎとして算出する。また、ＢＭ６０は、供給されたサンプリング値ＥＱＬｔと期待値ＰＴｎとの差の絶対値をＢＭ値ＢＭＴｎとして算出する。このように、デュアルモードとシングルモードとで接続回路５４の接続を切り替えることにより、図１１に示すようにＢＭ６０に供給するサンプリング値ＥＱＴｔ，ＥＱＬｔを切り替える。
【００５７】
図１２は、デュアルモード時のＡＣＳユニット５７，６１の一例の構成図を示す。ＡＣＳユニット５７，６１は、各ＢＭ値ＢＭＬｎ，ＢＭＴｎと一つ前のパスメトリック値（以下、ＰＭ値という。）ＰＭＬｍ，ＰＭＴｍ（ｍ＝０，１，２，３）とを加算し、比較して小さい方を新たなＰＭ値ＰＭＬｍ，ＰＭＴｍとする。比較して小さい方を新たなＰＭ値ＰＭＬｍ，ＰＭＴｍとするのは、ビタビ復号では最小のＰＭ値を持つパスが最も確からしいとする為である。なお、どちらのＰＭ値ＰＭＬｍ，ＰＭＴｍを選択したかの情報ＤＬ０〜ＤＬ３，ＤＴ０〜ＤＴ３をＰＭ５９，６３に通知する。以上のＡＣＳユニット５７，６１の処理は、図１３（Ａ）の計算式に基づいたものである。
【００５８】
例えば、ＡＣＳユニット５７の加算器Ａｄｄ０は状態ＳＬ０から状態ＳＬ０に遷移するパスのＰＭ値を算出するものである。また、ＡＣＳユニット５７の加算器Ａｄｄ１はＳＬ１から状態ＳＬ０に遷移するパスのＰＭ値を算出するものである。そして、加算器Ａｄｄ０，Ａｄｄ１により算出されるパスのＰＭ値を比較して小さい方を新しいＰＭ値ＰＭＬ０としてＰＭＭ５８に格納する。このように、加算器Ａｄｄ０，Ａｄｄ１により算出されるパスのＰＭ値を比較して小さい方を選択するのは、状態ＳＬ０に遷移するパスが２つある為である。
【００５９】
図１４は、シングルモード時のＡＣＳユニット５７、６１の一例の構成図を示す。ＡＣＳユニット５７，６１は、各ＢＭ値ＢＭＬｎ，ＢＭＴｎが供給されている。具体的には、ＡＣＳユニット５７はＢＭ値ＢＭＬ０，ＢＭＬ３，ＢＭＬ６，ＢＭＴ０，ＢＭＴ１，ＢＭＴ３が供給されている。また、ＡＣＳユニット６１はＢＭ値ＢＭＬ４，ＢＭＬ６，ＢＭＬ７，ＢＭＴ１，ＢＭＴ４，ＢＭＴ７が供給されている。
【００６０】
ＡＣＳユニット５７，６１は供給される各ＢＭ値ＢＭＬｎ，ＢＭＴｎと一つ前のＰＭ値ＰＭＬｊ（ｊ＝０，２，３，３），ＰＭＴｌ（ｌ＝０，０，１，３）とを加算し、比較して小さい方を新たなＰＭ値ＰＭＬｊ，ＰＭＴｌとする。例えばＰＭ値ＰＭＬ０は、ＢＭ値ＢＭＬ０と一つ前のＰＭ値ＰＭＬ０との加算値と、ＢＭ値ＢＭＴ０と一つ前のＰＭ値ＰＭＴ０との加算値とを比較して小さい方を選択することにより算出される。なお、ＢＭ値ＢＭＬ０と一つ前のＰＭ値ＰＭＬ０との加算値及びＢＭ値ＢＭＴ０と一つ前のＰＭ値ＰＭＴ０との加算値のどちらを選択したかの情報ＤＬ０をパスメモリ５９，６３に出力する。以上のＡＣＳユニット５７，６１の処理は、図１３（Ｂ）の計算式に基づいたものである。
【００６１】
図１４の構成のように、各ＢＭ値に対してＰＭ値を加算し、その加算値を比較して小さい方を選択することにより、拘束長４のＰＲに対応するＡＣＳユニットが実現できる。なお、図１４のシングルモード時のＡＣＳユニットと図１２のデュアルモード時のＡＣＳユニットとを比較すると加算器，比較器，セレクタ等を共有できることが分かる。従って、デュアルモードとシングルモードとで接続回路５４の接続を切り替えることにより、拘束長３のデュアルモードの構成と拘束長４のシングルモードの構成とを実現できる。
【００６２】
図１５は、デュアルモード時のＰＭ５９，６３の一例の構成図を示す。ＰＭ５９，６３は、ＡＣＳユニット５７，６１からどちらのＰＭ値ＰＭＬｍ，ＰＭＴｍを選択したの情報ＤＬ０〜ＤＬ３，ＤＴ０〜ＤＴ３を供給される。ＰＭ５９，６３は複数段のシフトレジスタＳＲを含むように構成され、各段のシフトレジスタＳＲが１クロック前に対応するシフトレジスタＳＲから情報ＤＬ０〜ＤＬ３，ＤＴ０〜ＤＴ３を順次供給される。
【００６３】
そして、シフトレジスタＳＲは、１クロック前に対応するシフトレジスタＳＲからデータを順次供給していき、十分な段数のシフトレジスタＳＲを介した後は全てのデータが一致することになる。即ち、全ての出力データが状態ＳＬ０〜ＳＬ３，ＳＴ０〜ＳＴ３の何れかになる。
【００６４】
例えば、ＰＭ５９の初段のシフトレジスタＳＲに格納された情報ＤＬ０〜ＤＬ３は２段目のシフトレジスタに供給されるときに状態遷移に従って最も確からしいデータが選択される。具体的には、情報ＤＬ０は状態ＳＬ０に遷移するパスが２つある為に、情報ＤＬ０及びＤＬ１のうち最も確からしいデータが選択されて次段のシフトレジスタＳＲに供給されている。
【００６５】
図１６は、シングルモード時のＰＭ７０の一例の構成図を示す。図１６のＰＭ７０は、図１５のＰＭ５９，６３と同様に複数段のシフトレジスタＳＲを含むように構成され、格段のシフトレジスタＳＲが１クロック前に対応するシフトレジスタＳＲから情報ＤＬ０，ＤＬ２，ＤＬ３，ＤＴ０，ＤＴ１，ＤＴ３を順次供給される。
【００６６】
そして、シフトレジスタＳＲは、１クロック前に対応するシフトレジスタＳＲからデータを順次供給していき、十分な段数のシフトレジスタＳＲを介した後は全てのデータが一致することになる。即ち、全ての出力データが状態ＳＬ０〜ＳＬ３，ＳＴ０〜ＳＴ３の何れかになる。
【００６７】
ここで、図１６のＰＭ７０と図１５のＰＭ５９，６３とを比較するとシフトレジスタＳＲ，セレクタｓｅｌ等を共有できることが分かる。従って、デュアルモードとシングルモードとで接続回路５４の接続及びＰＭ５９，６３内の接続を切り替えることにより、拘束長３のデュアルモードの構成と拘束長４のシングルモードの構成とを実現できる。
【００６８】
図１７は、本発明のビタビ検出器の期待値設定について説明する一例の図を示す。また、図１８は期待値設定の一例のタイミング図を示す。図１７に示すように、本発明は２系統のビタビ検出器を利用する為、レジスタ１６０〜１６３に２つのＩＤ部用期待値及び２つのＭＯ部用期待値を格納している。
【００６９】
レジスタ１６０，１６１がＭＵＸ１６４に接続されており、ＭＵＸ１６４はレジスタ１６０から供給されるＩＤ部用期待値とレジスタ１６１から供給されるＭＯ部用期待値とを供給される。そして、ＭＵＸ１６４は、図１８（Ｂ）のタイミング信号に従ってＩＤ部用期待値又はＭＯ部用期待値を選択し、ビタビ検出器１５０に出力する。
【００７０】
また、レジスタ１６２，１６３がＭＵＸ１６５に接続されており、ＭＵＸ１６５はレジスタ１６２から供給されるＩＤ部用期待値とレジスタ１６３から供給されるＭＯ部用期待値とを供給される。そして、ＭＵＸ１６５は、図１８（Ｂ）のタイミング信号に従ってＩＤ部用期待値又はＭＯ部用期待値を選択し、ビタビ検出器１５０に出力する。
【００７１】
従って、図１８（Ａ）のようなＩＤ部及びＭＯ部を含むフォーマットのデータ再生を行なう場合、図１８（Ｂ）に示すようなタイミング信号をＭＵＸ１６４，１６５に供給することによりＭＵＸ１６４，１６５から図１８（Ｃ），図１８（Ｄ）のようなＩＤ部用期待値又はＭＯ部用期待値をビタビ検出器１５０に供給することが可能となる。なお、本実施例では拘束長４のＰＲとしてＰＲ（１，３，３，１）について説明したが、ＰＲ（１，２，２，１）など拘束長４であれば本発明を適用することが可能である。
【００７２】
上述した例では、光磁気ディスクのＩＤ部とＭＯ部とから再生される信号の波形干渉の状態（拘束長）の違いに基づいてビタビ検出器の構成を切換えている。このような再生信号の波形干渉の状態が変化する状況は、上述した場合に限られない。
【００７３】
例えば、記録媒体の下位互換が可能なデータ再生装置，即ち異なる種類の記録媒体（例えば、ＣＤ−ＲＡＭとＤＶＤ−ＲＡＭ）からデータの再生が可能となるデータ再生装置では、各種類の記録媒体の記録密度が異なることに起因して、それぞれの種類の記録媒体から再生信号の波形干渉の状態（拘束長）が異なる。
【００７４】
図１９（Ａ）に示すように、比較的低い周波数の基準クロックｆｃｌｋ１にて記録がなされた記録媒体（低密度記録の媒体）では、１ビットに対するマーク長が比較的長くなる。また、図１９（Ｂ）に示すように、比較的高い周波数の基準クロックｆｃｌｋ２にて記録された記録媒体（高密度記録の媒体）では、１ビットに対するマーク長が比較的短くなる。このような１ビットに対するマーク長が異なる記録媒体を同一のビームスポットで走査して得られる再生信号は、その波形干渉の状態が異なる。
【００７５】
また、記録する符号が異なる場合には、必要帯域が変化して拘束長も変化する。更に、プリピットのＩＤ部をビームスポットで再生し、データ部を磁気ディスクのＭＲ素子などで再生したり、その逆となるようなデータ再生装置が考えられる。このようなデータ再生装置では、異なる伝送系（光学系，磁気―電気系）に対応した再生信号の波形干渉の状態が異なる。
【００７６】
これらの例のように、再生信号の波形干渉の状態（拘束長）が種々の条件に応じて異なる場合、前述したように、その再生信号からデータを復号するビタビ検出器の構成をその条件に応じて切換えることにより、精度の高いデータ再生を行なうことができる。具体的には、拘束長の短い再生信号を復号するビタビ検出器を複数組み合わせることにより拘束長の長い再生信号を復号することができるようになる。
【００７７】
【発明の効果】
上述の如く、本発明によれば、第１の拘束長のパーシャルレスポンスに対応する２系統のビタビ検出手段を、第１の拘束長と異なる拘束長のパーシャルレスポンスに対応させることが可能となる。従って、少ない回路規模で長い拘束長のパーシャルレスポンスと２系統の短い拘束長のパーシャルレスポンスとに対応するデータ再生装置及びデータ再生方法が実現できる。
【００７８】
【図面の簡単な説明】
【図１】光磁気ディスクの一例のフォーマット図である。
【図２】データ再生システムの一例のブロック図である。
【図３】ＩＤ部とＭＯ部との一例のＭＦＴ特性図である。
【図４】データ再生システムの２つのモードについて説明する一例の図である。
【図５】本発明の実施の一形態に係る光磁気ディスク装置の光学系の構成例を示すブロック図である。
【図６】本発明の実施の一形態に係る光磁気ディスク装置のデータ再生システムの構成例を示すブロック図である。
【図７】本発明の２つのモードについて説明する一例の構成図である。
【図８】本発明のビタビ検出器の一実施例の構成図である。
【図９】データの組み合わせ及び状態遷移を説明する一例の図である。
【図１０】図９の関係を表わす一例の状態遷移図である。
【図１１】ＢＭの一例の構成図である。
【図１２】デュアルモード時のＡＣＳユニットの一例の構成図である。
【図１３】ＰＭ値の計算式について説明する一例の図である。
【図１４】シングルモード時のＡＣＳユニットの一例の構成図である。
【図１５】デュアルモード時のＰＭの一例の構成図である。
【図１６】シングルモード時のＰＭの一例の構成図である。
【図１７】本発明のビタビ検出器の期待値設定について説明する一例の図である。
【図１８】期待値設定の一例のタイミング図である。
【図１９】基準クロック周波数の違いにより生じる波形干渉を説明する一例の図である。
【符号の説明】
１    光磁気ディスク装置
１２    ＬＤ（Ｌａｓｅｒ  Ｄｉｏｄｅ）駆動回路
１６    ＬＤ（Ｌａｓｅｒ  Ｄｉｏｄｅ）
２０，２２    ビームスプリッタ（ＢＳ）
２４，２６    フォトダイオード（ＰＤ）
２８    アンプ（ＡＭＰ）
３０    レンズ
３２    光磁気ディスク
５０，５２，１５０    ビタビ検出器
５４    接続回路
５６，６０    ブランチメトリック計算ユニット（ＢＭ）
５７，６１    ＡＣＳユニット
５８，６２    パスメトリックメモリ（ＰＭＭ）
５９，６３    パスメモリ（ＰＭ）
６４    マイクロプロセッサユニット（ＭＰＵ）
１１０    アナログデジタル変換器（ＡＤＣ）
１２０    ディジタルイコライザ（ＥＱ）
１３０    クロック生成回路
１６０〜１６３    レジスタ
１６４，１６５    ＭＵＸ
【図１】
0004256559.tif 000002
【図２】
0004256559.tif 000003
【図３】
0004256559.tif 000004
【図４】
0004256559.tif 000005
【図５】
0004256559.tif 000006
【図６】
0004256559.tif 000007
【図７】
0004256559.tif 000008
【図８】
0004256559.tif 000009
【図９】
0004256559.tif 000010
【図１０】
0004256559.tif 000011
【図１１】
0004256559.tif 000012
【図１２】
0004256559.tif 000013
【図１３】
0004256559.tif 000014
【図１４】
0004256559.tif 000015
【図１５】
0004256559.tif 000016
【図１６】
0004256559.tif 000017
【図１７】
0004256559.tif 000018
【図１８】
0004256559.tif 000019
【図１９】
0004256559.tif 000020